(57)【要約】【課題】インクチューブ内で気泡が発生することが予想される状況下ではチョークバルブを閉じ、インクの供給が必要な記録実行時にはチョークバルブを開くことで、インクカートリッジ内への気泡の流入及び蓄積を防止する。【解決手段】本発明のチョークバルブの開閉制御方法は、電源をＯＮ状態にした時、チョークバルブ３０を開け、その後一定の待機時間中に記録が実行されない場合にはチョークバルブ３０を閉じるように設定している。また電源をＯＦＦ状態にした時には、必ずチョークバルブ３０を閉じてから記録装置１００の動作を終了するように設定している。【選択図】図５
2005288826.tif 000002
【特許請求の範囲】
【請求項１】
インクカートリッジに収容されたインクを、インクチューブを介して記録ヘッドに導く構造の記録装置に適用されるチョークバルブの開閉制御方法であって、
前記チョークバルブの開閉制御方法は、電源をＯＮ状態にした時、閉じられていたチョークバルブを開け、その後一定の待機時間中に記録が実行されない場合には、チョークバルブを閉じるように設定されていることを特徴とするチョークバルブの開閉制御方法。
【請求項２】
請求項１において、チョークバルブを閉じた後、記録を実行した場合は、そのまま記録を実行し、その後一定の待機時間中に記録が実行されない場合には、チョークバルブを閉じるように設定されていることを特徴とするチョークバルブの開閉制御方法。
【請求項３】
インクカートリッジに収容されたインクを、インクチューブを介して記録ヘッドに導く構造の記録装置に適用されるチョークバルブの開閉制御方法であって、
前記チョークバルブの開閉制御方法は、電源をＯＦＦ状態にした時には、必ずチョークバルブを閉じてから記録装置の動作を終了するように設定されていることを特徴とするチョークバルブの開閉制御方法。
【請求項４】
インクカートリッジに収容されたインクを、インクチューブを介して記録ヘッドに導く構造の記録装置であって、
前記記録装置には、チョークバルブの開閉を制御する開閉制御装置が設けられており、当該開閉制御装置によって請求項１〜３のいずれか１項に記載のチョークバルブの開閉制御方法が実行されるようにしたことを特徴とする記録装置。
【請求項５】
液体カートリッジに収容された液体を、液体チューブを介して液体噴射ヘッドに導く構造の液体噴射装置であって、
前記液体噴射装置には、チョークバルブの開閉を制御する開閉制御装置が設けられており、当該開閉制御装置によって、電源をＯＮ状態にした時、閉じられていたチョークバルブを開け、その後一定の待機時間中に記録が実行されない場合には、チョークバルブを閉じるように設定したチョークバルブの開閉制御方法が実行されるようにしたことを特徴とする液体噴射装置。
【発明の詳細な説明】
【技術分野】
【０００１】
本発明は、インクカートリッジに収容されたインクを、インクチューブを介して記録ヘッドに導く構造の記録装置に適用されるチョークバルブの開閉制御方法及び当記開閉制御方法を実行するチョークバルブの開閉制御装置を備える記録装置に関する。  
更に本発明は、インク等の液体をそのヘッドから吐出（噴射）して被記録材（被液体噴射材）に記録を実行する（液体を付着する）インクジェット式記録装置などの液体噴射装置及び当該液体噴射装置において設けられるチョークバルブの開閉制御装置によって実行されるチョークバルブの開閉制御方法に関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
以下、インクジェット式記録装置あるいは液体噴射装置の一例としてインクジェットプリンタを採り上げて説明する。従来のインクジェットプリンタには、インクカートリッジが記録ヘッドを搭載したキャリッジ内に装填され、インクカートリッジと記録ヘッドとが一体となって主走査方向に往復動するタイプと、インクカートリッジはプリンタ本体に対して固定状態で設けられており、インクカートリッジに収容されたインクを、インクチューブを介してキャリッジと共に主走査方向に往復動する記録ヘッドに供給するタイプとが存在する。後者のタイプのインクジェットプリンタは、大版ロール紙への記録を目的とする大型のインクジェットプリンタにおいて多く採用されている。
【０００５】
下記特許文献１、２は、インクカートリッジと記録ヘッドが別体の後者のタイプのインクジェットプリンタを示している。このうち特許文献１では、記録ヘッドの詰まりの要因であるインク内に混入する異物を効果的に除去して印字不良の防止を図り、かつ目詰まりを起こし難くすることを目的とし、目の粗い第１フィルタユニットと目の細かい第２フィルタユニットとを設ける構成が開示されている。また特許文献２では、インクチューブ内に気泡を停滞させないようにし、印字品質の向上を図ることを目的とし、インクチューブをインクに対する漏れ性が向上される材料とし、オゾン処理することによって停滞気泡の除去を容易にするようにした構成が開示されている。
【０００６】
しかし、特許文献１に開示されているフィルタユニットのみでは、特許文献２において目的にしている気泡の除去を行うことはできず、気泡が発生した場合に印字品質の向上は図れない。また特許文献２に開示されている材料の選択及びオゾン処理のみでは、発生した気泡を完全に除去することはできず、残留した気泡によって印字品質の劣化が生ずる場合がある。
【０００７】
ここで気泡は、インクジェットプリンタが印字動作を行っていない時、または電源をＯＦＦ状態にしてインクジェットプリンタを保管している時にインクチューブ内において発生する。この場合、インクカートリッジとインクチューブとの間にバルブが設けられていないと、あるいはバルブが設けられていても、そのバルブが開いたままの状態であると、その気泡がカートリッジ内に流入してしまう。そしてカートリッジ内に気泡が溜まると、インク詰まり等を発生して印字品質の劣化をもたらすのである。
【０００８】
【特許文献１】特開平６−９９５８６号公報
【特許文献２】特開平７−２２３３２２号公報
【発明の開示】
【発明が解決しようとする課題】
【０００９】
そこで本発明は、このような背景技術及び背景技術が抱えている問題点の存在を踏まえて発案されたものであって、インクチューブ内で気泡が発生することが予想される状況下では、チョークバルブを閉じ、インクの供給が必要な記録実行時にはチョークバルブを開くことで、インクカートリッジ内への気泡の流入及び蓄積を防止するようにしたチョークバルブの開閉制御方法及び該開閉制御方法を実行するチョークバルブの開閉制御装置を備えた記録装置等を提供することを課題とするものである。
【課題を解決するための手段】
【００１０】
上記課題を解決するために本発明の第１の態様に係るチョークバルブの開閉制御方法は、インクカートリッジに収容されたインクを、インクチューブを介して記録ヘッドに導く構造の記録装置に適用されるチョークバルブの開閉制御方法であって、前記チョークバルブの開閉制御方法は、電源をＯＮ状態にした時、閉じられていたチョークバルブを開け、その後一定の待機時間中に記録が実行されない場合には、チョークバルブを閉じるように設定されていることを特徴とするものである。
【００１１】
本発明の第１の態様によれば、電源をＯＮ状態にした後、そのまま放置していたような場合の気泡の発生を想定し、気泡が発生する前にチョークバルブを閉じることによって、インクカートリッジへの気泡の流入が防止される。従って気泡の流入及び蓄積によって生ずるインクカートリッジ内でのインク詰まり等が防止され、記録品質の向上が図られる。
【００１２】
本発明の第２の態様に係るチョークバルブの開閉制御方法は、第１の態様において、チョークバルブを閉じた後、記録を実行した場合は、そのまま記録を実行し、その後一定の待機時間中に記録が実行されない場合には、チョークバルブを閉じるように設定されていることを特徴とするものである。  
本発明の第２の態様によれば、一旦記録を実行しても、その後記録を実行しないで放置していたような場合の気泡の発生を想定し、気泡が発生する前にチョークバルブを閉じることによって、インクカートリッジへの気泡の流入が防止される。従って気泡の流入及び蓄積によって生ずるインクカートリッジ内でのインク詰まり等が防止され、記録品質の向上が図られる。
【００１３】
本発明の第３の態様に係るチョークバルブの開閉制御方法は、インクカートリッジに収容されたインクを、インクチューブを介して記録ヘッドに導く構造の記録装置に適用されるチョークバルブの開閉制御方法であって、前記チョークバルブの開閉制御方法は、電源をＯＦＦ状態にした時には、必ずチョークバルブを閉じてから記録装置の動作を終了するように設定されていることを特徴とするものである。
【００１４】
本発明の第３の態様によれば、電源をＯＦＦ状態にして記録装置を保管している場合の気泡の発生を想定し、電源をＯＦＦ状態にした時には、必ずチョークバルブを閉じることによって、インクカートリッジへの気泡の流入が防止される。従って、気泡の流入及び蓄積によって生ずるインクカートリッジ内でのインク詰まり等が防止され、記録品質の向上が図られる。
【００１５】
本発明の第４の態様に係る記録装置は、インクカートリッジに収容されたインクを、インクチューブを介して記録ヘッドに導く構造の記録装置であって、前記記録装置には、チョークバルブの開閉を制御する開閉制御装置が設けられており、当該開閉制御装置によって第１〜第３のいずれか１つの態様のチョークバルブの開閉制御方法が実行されるようにしたこと特徴とするものである。  
本発明の第４の態様によれば、記録装置が記録実行動作を行っていない時、または電源をＯＦＦ状態にして記録装置を保管している時にインクチューブ内で発生する気泡のインクカートリッジへの流入、蓄積等が防止される。従ってインクカートリッジ内でのインク詰まり等が防止されて、記録品質の向上が図られる。
【００１６】
本発明の第５の態様に係る液体噴射装置は、液体カートリッジに収容された液体を、液体チューブを介して液体噴射ヘッドに導く構造の液体噴射装置であって、前記液体噴射装置には、チョークバルブの開閉を制御する開閉制御装置が設けられており、当該開閉制御装置によって、電源をＯＮ状態にした時、閉じられていたチョークバルブを開け、その後一定の待機時間中に記録が実行されない場合には、チョークバルブを閉じるように設定したチョークバルブの開閉制御方法が実行されるようにしたこと特徴とするものである。
【発明を実施するための最良の形態】
【００１７】
以下、本願発明に係るチョークバルブの開閉制御方法及び該開閉制御方法を実行するチョークバルブの開閉制御装置を設けた液体噴射装置の一例である記録装置について説明する。最初に、本願発明の液体噴射装置の一例である記録装置を実施するための最良の形態としてインクジェットプリンタを採り上げて、その全体構成の概略を図面に基づいて説明する。図１はインクジェットプリンタの外観と、内部に存するインク供給経路を併せ示す斜視図、図２はインクジェットプリンタの概略を示す側断面図である。
【００１８】
インクジェットプリンタ１００には、被液体噴射材の一例である被記録材Ｐ（以下単に用紙Ｐともいう。）に記録を実行する液体噴射実行手段の一例である記録実行手段の主たる構成要素として、主走査方向Ｘに往復可能にキャリッジガイド軸９によって軸支されたキャリッジ７が設けられている。そして、該キャリッジ７には用紙Ｐ等に液体の一例であるインクを吐出（噴射）して記録を行なう液体噴射ヘッドの一例である記録ヘッド１３が搭載されている。
【００１９】
記録ヘッド１３の下方には、記録ヘッド１３と対向して記録ヘッド１３のヘッド面と用紙Ｐ等との間のプラテンギャップＰＧを規定するプラテン２８が設けられている。そしてキャリッジ７とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が行われる。
【００２０】
次に、用紙Ｐの搬送経路に従ってインクジェットプリンタ１００の構成を更に説明する。先ず最も搬送方向上流側にロール状の用紙Ｐをスピンドルによって横架状態に保持する被液体噴射材積畳部の一例であるロールホルダ５が設けられている。またロールホルダ５の前面にはホルダカバー８が設けられていて、シート状の用紙Ｐはホルダカバー８の上面側から挿入される。ロール状あるいはシート状の用紙Ｐは図示しない給送用ローラの回転に伴って、搬送方向下流の搬送用ローラ１９に向けて給送される。
【００２１】
給送用ローラの下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、かつ図示しないねじりコイルばねによって搬送用従動ローラ１９ｂが常に搬送用駆動ローラ１９ａに圧接したニップ状態になるように回動付勢されている。
【００２２】
搬送用ローラ１９によって挟圧された状態で搬送される用紙Ｐは、記録ヘッド１３の下方の記録ポジション２６に導かれ、上述のキャリッジ７及び用紙Ｐの動作によって用紙Ｐの記録面のほぼ全面に亘って所望の記録が実行される。記録ヘッド１３とその下方において、これと対向して設けられるプラテン２８とのプラテンギャップＰＧは高精度の記録を実行する上で極めて重要な要素となっており、用紙Ｐの厚さの変化に応じて適宜調節されるようになっている。
【００２３】
記録ヘッド１３の下流には、排出用駆動ローラ２０ａと、排出用ギザローラ２０ｂとによって構成される被液体噴射材排出手段の一例である排出用ローラ２０が設けられ、この排出用ローラ２０によって排出された用紙Ｐはカッタ装置６によって必要に応じて所望の大きさにカットされた後、排出される。
【００２４】
排出用ギザローラ２０ｂは、その外周に複数の歯を有する歯付きローラであり、排出用ギザローラ用の図示しないローラホルダによって自由回転可能に軸支されている。排出用ギザローラ２０ｂの上流には補助ギザローラ２２が設けられ、用紙Ｐは該補助ギザローラ２２によってやや下方に押し付けられるようになっている。また搬送用従動ローラ１９ｂは搬送用駆動ローラ１９ａよりその軸芯位置がやや下流側に配設されていて、更に排出用ギザローラ２０ｂは排出用駆動ローラ２０ａよりその軸芯位置がやや上流側に配設されている。
【００２５】
このような構成によって用紙Ｐは搬送用ローラ１９と排出用ローラ２０との間において僅かに下に凸となる俗に「逆ぞり」と呼ばれている湾曲状態となり、記録ヘッド１３に対向する位置にある用紙Ｐはプラテン２８に押し付けられ、これにより用紙Ｐの浮き上がりが防止され、正常に記録が実行されるようになっている。尚、補助ギザローラ２２は排出用ギザローラ２０ｂと同様に歯付きローラから構成されており、図示しない補助ギザローラ用のローラホルダに軸支されている。
【００２６】
［実施例］
次に、このようなインクジェットプリンタ１００に対して適用される本願発明に係るチョークバルブの開閉制御方法を、当該開閉制御方法を実施するチョークバルブの開閉制御装置１を備えるチョークバルブの開閉装置２の構成と併せてについて説明する。図３は、チョークバルブの閉動作時のチョークバルブの開閉実行手段を示す斜視図、図４は、チョークバルブ開動作時のチョークバルブの開閉実行手段を示す斜視図である。図５は、チョークバルブの開閉制御方法のタイムチャートを示す説明図である。また図６〜８はチョークバルブの閉動作時のチョークバルブの開閉実行手段動作の流れを示すフローチャートであって、図６は当該動作の前段部分、図７は当該動作の中断部分、図８は当該動作の後段部分をそれぞれ示している。また図９はチョークバルブ開動作時のチョークバルブの開閉実行手段の動作の流れを示すフローチャートである。
【００２７】
チョークバルブの開閉装置２は、図２においてブロック図として模式的に示すようにインクチューブ１２内へのインクの流入及び流入停止を切り換えるチョークバルブ３０と、チョークバルブ３０の開閉を実行する開閉実行手段３１と、チョークバルブ３０の開閉を制御する開閉制御装置１とを備えることによって構成されている。インクチューブ１２は、記録ヘッド１３とインクカートリッジ１１とを接続し、実質的にインク流路を形成する部材である。
【００２８】
チョークバルブ３０は、カートリッジホルダ３２内部のインクチューブ１２の始端側途中に設けられている。またチョークバルブ３０は図２のブロック図中において模式的に示すように、インクチューブ１２の外方からインクチューブ１２を圧潰することによってインク流路を閉鎖し、圧潰を解除することによってインク流路を開放するようにした構成のバルブである。
【００２９】
開閉実行手段３１は、搬送用駆動ローラ１９ａの回転軸３３の回転をピニオン３４に伝える駆動伝達手段３５と、ピニオン３４をラック３６の噛合い位置と退避位置とに移動させるチョークトリガ３７と、ピニオン３４の回転運動をラック３６の直線運動に変換してバルブホルダ３８における回転案内傾斜面３９を押圧するラックピニオン機構４０と、ラック３６先端の押圧部４１が回転案内傾斜面３９に当接することによって所定の角度回転してチョークバルブ３０の開閉動作を実行するバルブホルダ３８とを備えている。
【００３０】
駆動伝達手段３５は、搬送用駆動ローラ１９ａの回転軸３３に設けられる駆動伝達ギヤ４２と、駆動伝達ギヤ４２と噛み合う伝達従動ギヤ４３とによって構成されている。伝達従動ギヤ４３は上記回転軸３３と平行に設けられ、主走査方向Ｘにスライドするスライド軸４４の一方の端部に設けられている。スライド軸４４には、伝達従動ギヤ４３側からチョークトリガ３７、ピニオン３４、付勢手段である圧縮コイルバネ４５が設けられている。
【００３１】
チョークトリガ３７はキャリッジ７の衝突、そして押圧を受けてスライド軸４４を主走査方向Ｘに移動させる役割を有する角棒状の部材である。またチョークトリガ３７はキャリッジ７と衝突する図３に示す突出姿勢と、キャリッジ７と衝突しない図４に示す倒伏姿勢とを切り換えることができるようになっている。ピニオン３４は伝達従動ギヤ４３と共にスライド軸４４と一体の部材で、ラックピニオン機構４０の一部を構成する部材である。圧縮コイルバネ４５は、ピニオン３４とベースマウント４６との間に縮設されており、常時ピニオン３４をラック３６と噛み合わない退避位置に付勢する役割を有している。
【００３２】
ラックピニオン機構４０は、上述のピニオン３４とラック３６とによって構成されており、このうちラック３６はベースマウント４６に形成されているガイド溝４７と係合し、ガイド溝４７に案内されて副走査方向Ｙに往復動するようになっている。またラック３６の基端部にはベースマウント４６に一端が係止されている引張りコイルバネ４８の他端が係止されており、ラック３６の先端部には斜め上方に立ち上げられた上述の押圧部４１が設けられている。
【００３３】
バルブホルダ３８は、上述したようにチョークバルブ３０の開閉動作を直接司る部材であり、回動軸４９を中心にして所定の角度回動する。また、バルブホルダ３８の上部には、上記押圧部４１と当接する上述した回転案内傾斜面３９が設けられている。このようにして構成される開閉実行手段３１は、チョークバルブ３０の閉動作時には図６〜８に示すフローチャートに従って、ステップＳ０１において搬送用駆動ローラ１９ａが逆転してチョークトリガ３７を突出姿勢にする。そして、キャリッジ７がステップＳ０２において移動を開始し、突出姿勢のチョークトリガ３７に衝突する。
【００３４】
チョークトリガ３７は、キャリッジ７に押されて圧縮コイルバネ４５の付勢力に抗してピニオン３４をラック３６との噛合い位置まで移動させる。そして、ステップＳ０３において、キャリッジ７はそのままの位置で、搬送用駆動ローラ１９ａの回転軸３３が正転し、ピニオン３４を回転させて、ラック３６をバルブホルダ３８側に押し出す。この時、ラック３６の先端に設けられている押圧部４１がバルブホルダ３８の回転案内傾斜面３９に当接しながら進行するため、バルブホルダ３８は、回転軸４９を中心にして図３中矢印で示す方向に回転し、チョークバルブ３０は閉じられる。そしてステップＳ０４に移り、キャリッジ７はホームポジションに移動して、搬送用駆動ローラ１９ａの回転軸３３が正転して、チョークトリガ３７を下方に倒して図４に示す倒伏姿勢とする。
【００３５】
一方、チョークバルブ３０の開動作時には、図９に示すフローチャートに従って開閉実行手段３１は動作する。即ちステップＳ０５において、搬送用駆動ローラ１９ａの回転軸３３が逆転してラック３６を引張りコイルバネ４８の収縮方向へ引き下げる。これに伴って押圧部４１と回転案内傾斜面３９の当接状態が解除されるため、バルブホルダ３８は、図示しない付勢手段による付勢力を受けて図４に示す方向に回転し、チョークバルブ３０は開状態となる。そしてステップＳ０６において、搬送用駆動ローラ１９ａにおける回転軸３３が正転し、突出姿勢にあったチョークトリガ３７を下方に倒して図４に示す倒伏姿勢とする。
【００３６】
開閉制御装置１は、上述した開閉実行手段３１の制御を司る装置である。そして開閉制御装置１を使用することによって、以下述べるような本発明のチョークバルブの開閉制御方法が実行される。尚、以下の説明では図５に示すタイムチャートを使用し、このタイムチャートに従って説明を進める。最初にパネル上の電源スイッチを押して電源をＯＮ状態にした場合について説明する。電源ＯＮ動作終了直後の状態では、まだ記録実行データがないため、タイマーがスタートし、カウントを開始する。そして、所定の待機時間が経過するとタイマーはタイムアップし、チョークバルブ３０を閉状態とする。
【００３７】
次に、チョークバルブ３０を閉じた後、記録実行データが送られてきた場合には、再びチョークバルブ３０を開状態として記録ヘッド１３による記録を実行する。そして記録実行動作終了後、新たな記録実行データがない場合には、再びタイマーがスタートし、カウントを開始する。この状態において次の記録実行データが送られてきた場合には、タイマーを一旦停止して記録実行動作に入る。尚、タイマーを停止した時点でカウントを一旦リセットし、新たにカウントを開始する。
【００３８】
記録実行動作中に更に次の記録実行データが送られてきた場合には、当該記録実行動作の終了を待って、終了後そのまま更に次の記録実行動作に入る。そして、記録実行動作終了後、更に次の記録実行データがない場合には、タイマーがスタートし、カウントを開始する。所定の待機時間が経過するとタイマーはタイムアップし、チョークバルブ３０を閉状態とする。
【００３９】
パネル上の電源スイッチを押して電源をＯＦＦ状態にした場合には、必ず先にチョークバルブ３０を閉状態とした後、インクジェットプリンタ１００の動作を終了するようにしている。
【００４０】
従って本発明のチョークバルブの開閉制御方法に因る場合には、電源をＯＮ状態にした後、一定の待機時間を経過しても記録実行動作が行われない場合や電源をＯＦＦ状態にしてインクジェットプリンタ１００を保管しているような場合には、チューブバルブ３０は必ず閉状態になるように設定されているから、インクチューブ１２内で発生した気泡のインクカートリッジ１１内への流入、蓄積が防止され、記録品質の向上が図られるのである。
【００４１】
［他の実施例］
本願発明に係るチョークバルブの開閉制御方法及び当該開閉制御方法を実行するチョークバルブの開閉制御装置を設けた記録装置等は、以上述べたような構成を基本とするものであるが、本願発明の要旨を逸脱しない範囲内の部分的構成の変更や省略等を行なうことも勿論可能である。例えば、電源をＯＮ状態にしたままで、記録実行データが長い時間送られてこない場合や、電源をＯＦＦ状態にして、インクジェットプリンタ１００を保管している状態ではインクチューブ１２内に気泡が発生していることが予想される。従って閉状態にあったチョークバルブ３０を開状態に切り換えた直後の段階でインクカートリッジ１１内に気泡が流入する可能性も皆無とも言えない。従って、このような場合には、フラッシング動作等、インクチューブ１２内に溜まっている気泡の排出動作等を行った後、記録実行動作に入るように設定することも可能である。
【図面の簡単な説明】
【００４２】
【図１】インクジェットプリンタの外観と、インク供給経路を併せ示す斜視図。
【図２】インクジェットプリンタの概略を示す側断面図。
【図３】チョークバルブ閉動作時の開閉実行手段を示す斜視図。
【図４】チョークバルブ開動作時の開閉実行手段を示す斜視図。
【図５】チョークバルブの開閉制御方法のタイムチャートを示す説明図。
【図６】バルブ閉動作時の開閉実行手段の動作前段の流れを示すフローチャート。
【図７】バルブ閉動作時の開閉実行手段の動作中段の流れを示すフローチャート。
【図８】バルブ閉動作時の開閉実行手段の動作後段の流れを示すフローチャート。
【図９】バルブ開動作時の開閉実行手段の動作の流れを示すフローチャート。
【符号の説明】
【００４３】
１  （チョークバルブの）開閉制御装置、２  （チョークバルブの）開閉装置、
３  プリンタ本体（記録装置本体）、５  ロールホルダ、６  カッタ装置、
７  キャリッジ、８  ホルダカバー、９  キャリッジガイド軸、
１１  インクカートリッジ、１２  インクチューブ、１３  記録ヘッド、
１８  ローラホルダ（搬送用従動ローラの）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用ギザローラ、２２  補助ギザローラ、
２６  記録ポジション、２８  プラテン、３０  チョークバルブ、
３１  （チョークバルブの）開閉実行手段、３２  カートリッジホルダ、３３  回転軸、３４  ピニオン、３５  駆動伝達手段、３６  ラック、３７  チョークトリガ、
３８  バルブホルダ、３９  回転案内傾斜面、４０  ラックピニオン機構、４１  押圧部、４２  伝達駆動ギヤ、４３  伝達従動ギヤ、４４  スライド軸、４５  圧縮コイルバネ、４６  ベースマウント、４７  ガイド溝、４８  引張りコイルバネ、４９  回動軸、
１００  インクジェットプリンタ（記録装置）、Ｐ  用紙（被記録材）、Ｘ  主走査方向、Ｙ  副走査方向、ＰＧ  プラテンギャップ
【図１】
2005288826.tif 000003
【図２】
2005288826.tif 000004
【図３】
2005288826.tif 000005
【図４】
2005288826.tif 000006
【図５】
2005288826.tif 000007
【図６】
2005288826.tif 000008
【図７】
2005288826.tif 000009
【図８】
2005288826.tif 000010
【図９】
2005288826.tif 000011